(57)【特許請求の範囲】
【請求項１】
未定着像を有する記録用シートに圧接する定着用回転体と、この定着用回転体に回転可能に当接してその表面を外部から加熱する外部加熱回転体とを備えた定着装置において、
前記定着用回転体及び外部加熱回転体の双方の表面に当接して移動するクリーニング部材を備えるクリーニング装置を設けるとともに、
そのクリーニング部材を、外部加熱回転体の表面に当接させた後に、定着用回転体と外部加熱回転体の当接部から定着用回転体の回転方向上流側の表面部分で当接させて移動させるように配設し、
かつ、前記クリーニング装置が、さらに、定着用回転体とクリーニング部材の双方の表面に当接して回転するクリーニング回転体を備えており、
そのクリーニング回転体が、定着用回転体におけるクリーニング部材との当接部から定着用回転体の回転上流側となる部分でクリーニング部材よりも先に当接するように配置されていることを特徴とする定着装置。
【請求項２】
外部加熱回転体が、定着用回転体とクリーニング部材に対して接離可能に配設されており、
この外部加熱回転体を離間させた際に、クリーニング部材を、その外部加熱回転体との当接部が少なくともその外部加熱ロールと当接する位置を通過するまで移動させた後に停止させるように構成してなる請求項１に記載の定着装置。
【発明の詳細な説明】
【０００１】
【発明の属する技術分野】
本発明は、複写機、プリンタ等の画像形成装置に使用される定着装置に係り、特に、定着装置における定着用回転体及び外部加熱回転体の表面を効率よく確実に清掃することを可能にした定着装置に関するものである。
【０００２】
【従来の技術】
電子写真方式等を利用した複写機、プリンタ等の画像形成装置に使用される定着装置としては、その画像形成装置における限られた定格消費電力の範囲内で高速の連続定着を可能にする目的から、加熱源を内蔵する熱定着用ロールに回転可能に当接してそのロール表面を外部からも加熱する外部加熱ロールを備えたタイプのものが知られている。すなわち、この定着装置は、その外部加熱ロールによって熱定着用ロールの表面を熱定着に必要な温度にすばやくかつ安定して加熱保持できるようにし、高速の連続定着時に次々と送られてくる記録シート上の未定着（トナー）像をその熱定着用ロールによる安定した加熱温度のもとで良好に熱定着させるようにしたものである。
【０００３】
ところで、このような外部加熱ロールを備えた定着装置においては、一般に、熱定着用ロールの表面に付着したトナー、紙粉等の付着物を清掃するためのクリーニング装置が設けられているが、そのクリーニング装置により除去されないトナー等の付着物が存在する。そして、この除去されない熱定着用ロール上の付着物は、外部加熱ロール側に転移して付着し、定着する記録シートの枚数が増えるにつれて外部加熱ロールの表面に次第に蓄積される。このようにして外部加熱ロールの表面にトナー等の付着物が蓄積されてくると、外部加熱ロールと熱定着用ロールとの間に付着物が介在することにより外部加熱ロールから熱定着用ロールへの熱伝達ロスが発生したり、また、外部加熱ロールに蓄積されたトナー等が熱定着用ロール側に再転移し、それが定着時の記録シートに付着することにより画質の低下を招くという問題があった。
【０００４】
ちなみに、従来においては、例えば、定着ロールを外部側からのみ加熱する外部加熱ロールを備えた定着装置として、その外部加熱ロールの外周面に接触するエンドレスベルト、ローラ構造体等からなるクリーニング部材を備えたクリーニング装置を設けたものが提案されている（特開昭５３−８９４４５号公報）。
【０００５】
しかし、この定着装置の場合には、まず、クリーニング装置が外部加熱ロール側のみに設けられているため、外部加熱ロール側に転移せずに定着ロールに付着したままの付着物が発生する可能性があるという不具合がある。また、クリーニング装置が外部加熱ロール側のみに設けられていることに加え、そのクリーニング部材がエンドレスベルトやローラ構造体のものを使用するため、比較的早くそのクリーニング性能が低下してしまい、この結果、経時的には外部加熱ロール上の付着物を十分に取り除くことができなくなり、そのまま外部加熱ロール表面に蓄積したり或いは定着ロール側に再転移してしまうという不具合がある。
【０００６】
また、同じく定着ロールを外部側からのみ加熱する外部加熱ロールを備えた定着装置として、その外部加熱ロールの外周面に一定の押圧力で接触するとともに、そのロールの回転軸と直行する方向に対して往復運動するように支持されたフェルトからなるクリーニング部材を備えたクリーニング装置を設けたものが提案されている（特開昭５４−８２４４５号公報）。
【０００７】
しかし、この定着装置の場合には、前記した定着装置の場合と同様にクリーニング装置が外部加熱ロール側のみに設けられていることによる不具合がある。しかも、クリーニング装置が外部加熱ロール側のみに設けられていることに加え、クリーニング部材の往復運動機構によりその部材の外部加熱ロールと接する部分を変えるようにしているものの、その往復運動により変わるクリーニング部材の領域（距離）が非常に限られた狭いものであるため、比較的早めにそのクリーニング性能が低下してしまい、やはり、前記した定着装置の場合と同様にクリーニング性能の低下による不具合がある。
【０００８】
【発明が解決しようとする課題】
本発明は、このような従来技術の各問題点を解消するためになされたもので、その目的とするところは、定着用回転体と外部加熱回転体を備えた定着装置として、その定着用回転体及び外部加熱回転体の各表面に付着するトナー等の付着物をより効率よくかつ確実に、しかも比較的長期にわたって安定して清掃除去することができる定着装置を提供することにある。
【０００９】
【課題を解決するための手段】
上記の目的を達し得る、本発明の定着装置は、未定着像を有する記録用シートに圧接する定着用回転体と、この定着用回転体に回転可能に当接してその表面を外部から加熱する外部加熱回転体とを備えた定着装置において、前記定着用回転体及び外部加熱回転体の双方の表面に当接して移動するクリーニング部材を備えるクリーニング装置を設けるとともに、そのクリーニング部材を、外部加熱回転体の表面に当接させた後に、定着用回転体と外部加熱回転体の当接部から定着用回転体の回転方向上流側の表面部分で当接させて移動させるように配設しているものである。
【００１０】
このような定着装置において、上記定着用回転体は、未定着像を有する記録シートと圧接してそのシート上のトナー像を定着できるものであれば特に制約されることはなく、その形態についてはロール形態の他、ベルト形態のものであってもよい。また、通常は加熱用の回転体であるが、加圧用の回転体であっても構わない。上記外部加熱回転体は、定着用回転体に回転可能に当接するように配設されたものであればよい。その形態については、通常、加熱源を内部に配したロール形態であるが特に限定されない。上記記録シートは、未定着像を担持することができるものであって、この定着装置により未定着像の定着を行うことができるものであれば、その材質や寸法形状等については特に限定されない。
【００１１】
上記クリーニング部材は、定着用回転体と外部加熱回転体の双方の表面に当接して移動するように配設されるものであればよい。その形態については、回転動作による移動により清掃面が更新されるエンドレスベルト形態やロール形態であってもよいが、クリーニング性能を長期にわたって安定して維持できるという観点からは、送り出し及び巻き取り動作による移動により清掃面が更新されるウェブ形態のものが好ましい。
【００１２】
このような定着装置によれば、１つのクリーニング部材が定着用回転体の表面と外部加熱回転体の表面に（互いに異なる部材領域、換言すれば清掃部位が）それぞれ当接する。これにより、定着用回転体と外部加熱回転体の双方の表面は、１つのクリーニング装置によって一度に清掃される。
【００１３】
しかも、この定着装置によれば、そのクリーニング部材を定着用回転体と外部加熱回転体の当接部から定着用回転体の回転方向上流側の表面部分で当接するように配置しているので、定着用回転体はクリーニング部材に当接した後に外部加熱回転体に当接することになり、外部加熱回転体はクリーニング部材に当接した後の定着用回転体に当接した後、クリーニング部材に当接することになる。これにより、定着用回転体の表面がまずクリーニング部材により清掃されるため、定着用回転体から外部加熱回転体へ転移付着する付着物の量は減る。また、クリーニング部材により除去されない付着物があり、それが外部加熱回転体へ転移付着した場合であっても、その付着物はクリーニング部材により除去される
【００１４】
さらに、この定着装置によれば、クリーニング部材は外部加熱回転体の表面に当接した後に定着用回転体の表面に当接することになるが、これにより、その当接順序が逆になる場合に比べるとクリーニング効果が向上することが期待できる。
【００１５】
また、この定着装置においては、そのクリーニング装置が、さらに、定着用回転体とクリーニング部材の双方の表面に当接して回転するクリーニング回転体を備えているものであってもよい。
【００１６】
このクリーニング回転体は、その配置スペースが確保できるのであれば、定着用回転体とクリーニング部材の当接部から定着用回転体の回転上流側の部分で当接するように配置するが、より確実で効率のよいクリーニング性能が得られるという観点からは、定着用回転体に対してクリーニング部材よりも先に当接する関係になるように配置するとよい。また、このクリーニング回転体は、定着用回転体とクリーニング部材の双方の表面に当接して回転するものであればよく、その形態についてはロール形態、ベルト形態、ウェブ形態のいずれのものも使用可能であるが、設置スペースが最も少なく定着装置の大型化を回避することができる観点からは、ロール形態のものが望ましい。
【００１７】
このクリーニング回転体をさらに備えたクリーニング装置を設けた定着装置の場合には、定着用回転体に対してクリーニング部材に加えてクリーニング回転体も当接する。また、そのクリーニング回転体は、常にクリーニング部材に当接しながら定着用回転体と当接する。これにより、定着用回転体に対するクリーニング装置のクリーニング性能が高まる。特に、クリーニング装置を外部加熱回転体よりも定着用回転体の回転方向上流側に設置した場合には、外部加熱回転体へ転移付着する付着物の量が激減する。
【００１８】
さらに、以上の各定着装置においては、外部加熱回転体を、定着用回転体とクリーニング部材に対して接離可能に配設するようにしてもよい。この場合には、一連の定着動作が終了した時点で、外部加熱回転体を定着用回転体及びクリーニング部材の表面から離間させるように構成する。さらに、この際、クリーニング部材は、その外部加熱回転体との当接部が少なくともその外部加熱回転体と当接する位置を通過するまで移動させた後に停止させるように構成するとよい。
【００１９】
このように外部加熱回転体が接離可能な構成になっている場合には、所定の時期に、外部加熱回転体を定着用回転体及びクリーニング部材の表面から離間させることができる。これにより、例えば定着用回転体が回転していない間等に、外部加熱回転体の定着用回転体及びクリーニング部材との各当接部にトナー等の付着物が固着してしまうことが防止される。さらに、この外部加熱回転体を離間させた際に、クリーニング部材を、その外部加熱回転体との当接部が少なくともその外部加熱ロールと当接する位置を通過するまで移動させた後に停止させるように構成した場合には、特に、クリーニング部材で清掃除去した付着物が外部加熱回転体に固着してしまうことが確実に回避される。
【００２０】
【発明の実施の形態】
以下、図面に基づいて本発明の実施の形態について説明する。
【００２１】
◎第１の実施形態
図１は、本発明の一実施形態に係る定着装置を適用した画像形成装置の一例を示す概略構成図である。
図１において、符号１は回転可能な感光体ドラム、２は感光体ドラム１を一様な電位に帯電する帯電コロトロン、３は帯電後の感光体ドラム１を画像情報に応じて露光するレーザ露光器、４はイエロー、マゼンタ、シアン、ブラックの４色のトナーを保持するとともに１つのトナー供給部を露光後の感光体ドラム１に対向させて所定の色のトナーを供給するロータリ式現像器、５は感光体ドラム１との間の転写位置に供給された用紙Ｐにトナー像を転写する転写コロトロン、６は転写後の感光体ドラム１から残留トナーなどを除去する清掃部材である。
【００２２】
そして、これらの構成部品からなる画像形成装置部分では、感光体ドラム１を回転させた状態で、帯電コロトロン２及びレーザ露光器３により感光体ドラム上１に画像情報に応じた静電潜像を形成した後、ロータリ式現像器４により所定のトナーでその静電潜像を現像して単色トナー像を形成し、しかる後、転写コロトロン５により転写位置に供給される用紙Ｐ上に当該単色トナー像を転写し、もって、用紙Ｐ上に未定着トナー像Ｔが形成されるようになっている。
【００２３】
また、図１において、符号７は用紙Ｐが転写位置を通過できるように回転可能に配設された転写ドラム、８は多数の用紙Ｐを週湯することができる用紙トレイ、９は用紙Ｐを転写ドラム７に吸着させる吸着帯電手段、１０は用紙トレイ８から排出された用紙Ｐを所定のタイミングで転写ドラム７に送り出すレジロール、１１は転写ドラム７から用紙Ｐを剥離する剥離コロトロン、１２は未定着トナー像が形成された用紙Ｐを、外部加熱ロール１３により外部から加熱される加熱ロール１４と加圧ロール１５とで挟持してその未定着トナー像を用紙Ｐに定着させる定着装置、１６は転写ドラム７から剥離された後の用紙Ｐを定着装置１２に誘導して供給する用紙ガイド、１７は定着が終了して画像が形成された用紙Ｐを収容する排出トレイ、１８は定着後の用紙Ｐを排出トレイ１４に排出する排出ロールである。上記外部加熱ロール１３は、ステンレス等の金属からなる円筒ロールであり、そのロール内部に電熱ヒータ等の加熱源１３ａが設置されている。また、加熱ロール１４も、その円筒ロールの内部に電熱ヒータ等の加熱源１４ａが設置されている。
【００２４】
そして、これらの構成部品からなる画像形成装置部分では、用紙トレイ８から排出された用紙Ｐは、レジロール１０から搬出されるとともに吸着帯電手段９により帯電されることで転写ドラム７の吸着位置に吸着された後、感光体ドラム１の転写位置において前記トナー像が転写される。次いで、トナー像が転写された用紙Ｐは、剥離コロトロン１１により除電されて用紙ガイド１３にそった方向に排出された後、定着装置１２を通過してトナー像が加熱ロール１２ａと加圧ロール１２ｂにより加熱加圧されることにより用紙上に定着されると、最後に排出ロール１５により排出トレイ１４上に排出される。これにより、用紙Ｐ上に単色の画像が形成されるようになっている。
【００２５】
また、用紙Ｐにフルカラー画像を形成する場合には、用紙Ｐが吸着された転写ドラム７を４回回転させる一方で、感光体ドラム１上に各色のトナー像を順次形成し、転写ドラム７に吸着される前記用紙Ｐ上に４色のトナー像を重ね合わせるように転写し、用紙Ｐ上に多色トナー像を形成する。次いで、その多色トナー像を、前記したように定着装置１２の加熱ロール１２ａと加圧ロール１２ｂにより加熱加圧することにより、用紙Ｐ上にフルカラーの画像が定着形成されるようになっている。なお、用紙Ｐ上のトナーは、単色像、カラー像のいずれの場合であっても、加熱加圧されることにより溶融し、その後用紙Ｐに吸収されて冷却されることで用紙Ｐ上に定着されるようになっている。
【００２６】
この実施態様に係る定着装置１２には、図２に示すように、その加熱ロール１２ａの表面に付着した溶融トナーや紙粉などを除去し、常にクリーンな状態で未定着トナー像を加熱加圧できるようにするためのクリーニング装置２０を設けている。
【００２７】
図２において、２１はクリーニング部材としての長尺なクリーニングウェブ、２２はこのウェブ２１が巻き付けられるとともにそのウェブを送り出す方向に回転可能に配設された送り出しロール、２３はウェブ２１の先端部が固定されるとともにそのウェブを巻き取る方向に回転可能に配設された巻き取りロール、２４はウェブ２１を外部加熱ロール１３よりも加熱ロール１４の回転方向上流側の表面に圧接させる位置において回転自在に配設された第１圧接ロール、２５はウェブ２１を外部加熱ロール１３の第１圧接ロール２４寄りの外周面に圧接させる位置において回転自在に配設された第２圧接ロールである。
【００２８】
クリーニングウェブ２１は、耐熱性を有する不織布により形成されており、巻き取りロール２３を図示しない駆動用モータにより駆動させることにより徐々に巻き取るように設定されている。また、第１圧接ロール２４と第２圧接ロール２５は、いずれもその軸芯を除く部分がスポンジ等の弾性材料にて構成されており、ウェブ２１を所定の押圧力で圧接するように支持されている。
【００２９】
このような構成からなるクリーニング装置２０によれば、クリーニングウェブ２１が図２中に示す矢印方向に回転する加熱ロール１４と外部加熱ロール１３の双方の表面に対して圧接されていることにより、そのロール１４，１３の各表面がそれぞれ清掃される。より具体的には、加圧ロール１５と圧接された定着部（ニップ部）を通過した加熱ロール１４の表面に付着したトナー等の付着物は、そのロール１４の表面に第１圧接ロール２４にて圧接されているクリーニングウェブ２１により除去される。そして、かりに、そのウェブ２１で除去されなかった付着物が加熱ロール１４に付着されたままで第１圧接ロール２４よりも下流側で当該ロール１４に当接している外部加熱ロール１３に転移付着したとしても、その外部加熱ロール１３の表面に第２圧接ロール２５にて圧接されているクリーニングウェブ２１により除去されることになる。
【００３０】
従って、この定着装置１２においては、加熱ロール１４の表面と外部加熱ロール１３の双方の表面が常に付着物による汚れのないクリーンな状態に保たれることになる。また、このクリーニング装置２０では、クリーニングウェブ２１が加熱ロール１４と外部加熱ロール１３の当接部Ｑから加熱ロール１４の回転方向上流側の表面部分で当接するように配置されているため、加熱ロール１４に付着した付着物がクリーニングウェブ２１によりほとんど取り除かれ、その清掃された後の加熱ロール１４に対して外部加熱ロール１３が当接する関係になる結果、外部加熱ロール１３への付着物の転移量を極力少なくすることができる。これにより、外部加熱ロール１３上に付着物が蓄積することがなくなる。
そして、このような定着装置１２を使用した画像形成装置においては、従来技術の問題点として指摘したような定着不良や付着物による画質低下を招くことなく、定格消費電力の範囲内で高速の連続定着を行うことが十分に可能となる。
【００３１】
なお、この第１実施形態においては、クリーニング装置２０におけるクリーニングウェブ２１を外部加熱ロール１３よりも加熱ロール１４の回転方向下流側の表面において圧接するように構成することも可能である。
【００３２】
この場合には、前記した態様のようにウェブ２１を加熱ロール１４の回転方向上流側の表面に圧接するように構成した場合にくらべて、トナー等の付着物が加熱ロール１４から外部加熱ロール１３側に転移して付着する量が増えるが、その外部加熱ロール１３側に転移した付着物はクリーニングウェブ２１により除去される。そして、かりに、外部加熱ロール１３上の付着物の一部がウェブ２１により取り除かれず、それが加熱ロール１４側に再転移したとしても、外部加熱ロール１３よりも下流側で加熱ロール１４に圧接されるウェブ２１により除去されることになる。
【００３３】
◎第２の実施態様
図３は、本発明の他の実施形態に係る定着装置を示すものである。この定着装置１２は、クリーニングロール２６を付設したクリーニング装置２０を適用した以外は前記した第１実施形態の定着装置と同じ構成からなるものである。
【００３４】
すなわち、クリーニングロール２６は、図３に示すように、第１圧接ロール２４よりも加熱ロール１４の回転方向上流側であって加熱ロール１４の表面とクリーニングウェブ２１の表面とに当接する位置において回転可能に配設されている。また、このクリーニングロール２６は、ステンレス等の金属製ロールで、その表面の離型性が加熱ロール１４の表面のそれよりも低い特性になるように構成されたものである。そして、クリーニングロール２６は、加熱ロール１４に接して図中の矢印方向に従動回転するようになっている。
【００３５】
このようなクリーニングロール２６が付設されたクリーニング装置２０を設けた定着装置１２においては、定着部を通過した後の加熱ロール１４の表面がまずクリーニングロール２６により清掃される。この際、そのクリーニングロール２６は、常にクリーニングウェブ２１に当接して清掃されつつ加熱ロール１４に当接する。これにより、加熱ロール１４の表面に付着するトナー等の付着物は、クリーニングウェブ２１に清掃されつつ回転するクリーニングロール２４によりまず除去される。その後は、前記した第１実施形態におけるクリーニング装置２０と同様のクリーニング動作が行われる。
【００３６】
従って、このクリーニングロール２６を付設したクリーニング装置２０を使用した場合には、第１実施形態の場合にくらべて、そのクリーニングロール２６によるクリーニング作用が付加されるため、特に加熱ロール１４をより確実に清掃することができるようになる。また、この実施態様のようにクリーニングロール２６として前記したごとき構成の金属ロールを使用した場合には、加熱ロール１４上の付着物のうちのトナーをそのクリーニングロール２６により効率よく除去することができ、しかも、そのロール２６よりも加熱ロール１４の回転方向下流側でさらにウェブ２１により、ロール２６にて除去しきれなかったトナーとそれ以外の付着物（例えば紙粉）を除去することができる。この結果、外部加熱ロール１３へ転移付着する付着物の量をなお一層低減することが可能となる。
【００３７】
◎第３の実施態様
図４は、本発明の他の実施形態に係る定着装置を示すものである。この定着装置１２は、外部加熱ロール１３を加熱ロール１４とクリーニングウェブ２１に対して接離可能に配設した以外は前記した第１実施形態の定着装置と同じ構成からなるものである。
【００３８】
すなわち、外部加熱ロール１３は、図４に示すように、加熱ロール１４とクリーニングウェブ２１に対し接離可能となるように、図示しない電磁ソレノイドの駆動力により図中の両矢印Ｅ，Ｆ方向にリトラクト可能に支持されている以外は第１実施形態におけるものと同じ構成になっている。そして、この外部加熱ロール１３は、一連の定着動作（換言すれば、一連の画像形成動作：１ジョブ）が終了した時点で、矢印Ｅ方向に変位して加熱ロール１４及びクリーニングウェブ２１の表面から離間するように設定されている。また、この実施形態では、外部加熱ロール１３を離間させた際に、クリーニングウェブ２１をその外部加熱ロール１３との当接部が少なくともその外部加熱ロール１３と当接する位置Ｒを通過するまで移動させた後に停止させるように構成している。
【００３９】
このような支持機構からなる外部加熱ロール１３を備えた定着装置１２においては、一連の定着動作が終了すると、外部加熱ロール１４が矢印Ｅ方向に変位して加熱ロール１４及びクリーニングウェブ２１の表面から離間する。これにより、加熱ロール１４等が回転していない間等において、外部加熱ロール１３の加熱ロール１４及びクリーニングウェブ２１との各当接部にトナー等の付着物が固着してしまうことが防止される。また、この実施形態では、その外部加熱ロール１３の離間動作とともに、クリーニングウェブ２１の清掃済みの面が前記したように外部加熱ロール１３との当接位置Ｒを通過するまで移動した後に停止する。これにより、外部加熱ロール１３は離間後に再び復帰した際にはウェブ２１の付着物が多く存在する部分と接することがなくなるため、クリーニングウェブ２１に除去捕獲されたトナー等の付着部が外部加熱ロール１３に固着してしまうことをより確実に回避することができる。
【００４０】
なお、この第３実施態様では、前記支持機構からなる外部加熱ロール１３を第１実施形態における定着装置に適用した場合について説明したが、前記した第２実施形態における定着装置に適用することも勿論可能である。
【００４１】
【発明の効果】
以上説明したように、本発明の定着装置によれば、定着用回転体の表面と外部加熱回転体の表面にそれぞれ当接するクリーニング部材を備えたクリーニング装置を設けたので、その定着用回転体及び外部加熱回転体の各表面に付着するトナー等の付着物をより効率よくかつ確実に清掃除去することができる。しかも、定着用回転体の表面と外部加熱回転体の表面にそれぞれ付着する付着物を１つのクリーニング部材の異なる部位で個別に除去することになるため、比較的長期にわたって安定して清掃除去することができる。定着用回転体の表面と外部加熱回転体の表面を専用に清掃するクリーニング装置を別々に設ける必要がないため、不要な装置の大型化を招くこともない。
【００４２】
従って、このような定着装置を使用した場合には、従来技術の問題点として指摘したような定着不良や付着物による画質低下を招くことがなくなり、しかも、定格消費電力の範囲内で高速の連続定着を行うことが十分に可能となる。
【図面の簡単な説明】
【図１】  本発明の定着装置を適用した画像形成装置の一例を示す概略構成図である。
【図２】  図１における定着装置（第１実施形態のもの）の要部の構成を示す拡大図である。
【図３】  第２実施形態に係る定着装置を示す概略構成図である。
【図４】  第３実施形態に係る定着装置を示す概略構成図である。
【符号の説明】
１２…定着装置、１３…外部加熱ロール（外部加熱回転体）、１４…加熱ロール（定着用回転体）、１５…加圧ロール（定着用回転体）、２１…クリーニングウェブ（クリーニング部材）、２６…クリーニングロール（クリーニング回転体）、Ｔ…未定着トナー像（未定着像）、Ｐ…用紙（記録シート）、Ｑ…加熱ロールと外部加熱ロールの当接部。
【図１】
0003905200.tif 000002
【図２】
0003905200.tif 000003
【図３】
0003905200.tif 000004
【図４】
0003905200.tif 000005